(57)【要約】      （修正有）【課題】野球選手またはソフトボール選手のグローブの親指保護構造を提供する。【解決手段】捕球面パーツと手甲面パーツ２とを綴じ紐で縫い合わせ、親指と人差し指の間に捕球用ウエブを設けるとともに、手口部を設けてなる野球グローブにおいて、手甲面パーツ２の親指部に親指サックを設け、該親指サックの上部内側に金属又はプラスチック硬質片２１ｃを内挿し、他方、親指サックの挿入口２１ｅは親指付け根から手口部に向けて広がる角度αを持たせ、グローブの操作性を害することなく、捕球時の衝撃を緩和させる。【選択図】図３
0003207677.tif 000002
【実用新案登録請求の範囲】
【請求項１】
捕球面パーツ（１）と手甲面パーツ（２）とが綴じ紐（３）で縫い合わされ、親指（６）と人差し指（７）の間には捕球用ウエブ（４）が設けられるとともに、手口部（５）が設けられてなる野球グローブにおいて、
手甲面パーツ（２）の親指部には親指サック（２１）が設けられ、該親指サック（２１）の上部内側に金属又はプラスチック硬質片（２１ｃ）が内挿され、他方、親指サックの挿入口（２１ｅ）は親指付け根から手口部に向けて広がる角度αを有することを特徴とするグローブの親指保護構造。
【請求項２】
分割された手口部（５）を親指サック（２１）の付け根を越えるアジャスタ（１１）で、締め付け可能とする緊締構造（１０）を備える請求項１記載のグローブの親指保護構造。
【考案の詳細な説明】
【技術分野】
【０００１】
本考案は、使用者の親指を保護する野球用またはソフトボール用グローブの親指保護構造に関する。
【背景技術】
【０００２】
野球用グローブおよびソフトボール用グローブには種々のグローブが知られている。親指は、たとえば試合中に使用者に向かって打球されまたは投球された野球ボールおよびソフトボールを捕球するときに衝撃を受けやすい。また、走塁している相手チームの選手を「タッチアウト」するときは、使用者はグローブでボールをつかみ、相手選手が塁に到達しないうちにグローブで相手選手に触るため、グローブをはめている手が抜ける場合が多い。また、選手がこの走者をタッチアウトしようとするときに、グローブからボールがこぼれ易い。特に、本塁での捕手と走者との衝突では起こりやすい。多くの場合には、既存の野球用およびソフトボール用グローブは、使用者の保護が不十分であった。そこで、グローブ着用ハンドの親指の保護を強化するグローブ構造が提案されている（特許文献１）。
【先行技術文献】
【特許文献】
【０００３】
【特許文献１】特開２０１３−２３０３６６号
【考案の概要】
【考案が解決しようとする課題】
【０００４】
しかしながら、野球選手またはソフトボール選手のグローブ着用の親指保護の向上を図ると操作性が悪くなるという欠点を招来する。そこで、グローブの操作性を害することなく親指の保護の向上を図ることを本件考案の目的とする。
【課題を解決するための手段】
【０００５】
本考案は、手首の差し込み口である手口部を親指側と小指側で分割し、親指側から小指側に至る分割した開口部を帯で締め付けるアジャスタ形式とする手口部を緊締する構造では、親指サック２１の上部内側に金属又はプラスチック硬質片２１ｃを内挿し、他方、親指サックの挿入口２１ｅは親指付け根から手口部に向けて広がる角度αを持たせる構造を形成するのがグローブの親指保護構造として適切である。
【考案の効果】
【０００６】
本考案においては、手甲面パーツの親指部にプラスチック硬質片を内挿した親指サックを設けるのが親指の操作性を害することなく、捕球時の親指への衝撃を緩和することができる。
【０００７】
上記親指サックの保護構造においては、手口部を切り込みによって分割され、分割した手口部をアジャスタで、締め付け可能とする手口部の緊締構造を併用すると、親指付け根支持部を設けることができ、グローブ開閉操作を容易にすることができる。
【図面の簡単な説明】
【０００８】
【図１】本考案に係る実施例であるキャッチャーミットの手甲面側正面図である。
【図２】本考案に係る実施例であるキャッチャーミットの捕球面側正面図である。
【図３】図1のキャッチャーミットの手甲面パーツを取り出した正面図である。
【図４】図１のキャッチャーミットに手を挿入した状態を示す手甲面側正面図である。
【図５】図３のキャッチャーミット手甲面パーツに手を挿入した状態を示す手甲面パーツ側正面図である。
【図６】図１のキャッチャーミット改良に手を挿入した状態を示す手甲面側正面図である。
【考案を実施するための形態】
【０００９】
図１は本考案に係る一実施例であるキャッチャーミットの手甲面側正面図で、図２は本考案に係る一実施例であるキャッチャーミットの捕球面側正面図である。かかるミットは捕球面パーツ１と手甲面パーツ２とを綴じ紐３で縫い合わせてなり、親指６と人差し指７の間に捕球用ウエブ４を設けるとともに、手口部５を設けてなる。
【００１０】
図３は図１のキャッチャーミットの手甲面パーツを取り出した正面図である。図３において、手口部５に人指し指７と中指８の間、小指９の外側に切り込み１０ａ，１０ｂを入れて分割し、分割した手口部５を親指サックから小指部に至るアジャスタ１１で、図４に示すように締め付け可能とする手口部緊締構造１０を設ける。アジャスタ１１は親指側のバックル付きバンド１１ａと、小指側のバンド１１ｂとで下記親指サック２１を越えて小指側に至る結束バンドを構成する。
【００１１】
他方、手甲面パーツ２の親指部には金属又はプラスチック硬質片を内挿した親指サック２１を設ける。親指サック２１は手甲面革２１ａと袋革２１ｂと袋革に内挿した硬質片２１ｃとその止め革２１ｄからなり、捕球時の親指への衝撃を緩和するようになっており、図３のＡ−Ａ線断面図、Ｂ−Ｂ線断面図、Ｃ−Ｃ線断面図に示すように、先端に向けて細くなる袋状をなす一方、親指サックの挿入口２１ｅは親指付け根から手口部に向けて広がる角度α（左手の場合好ましくは親指サック上下中心線に対し時計回りで１５°以上５０°以下）を持たせ、親指付け根に沿うようにするのが親指の操作上好ましい。また、図５に示すように、小指部には深く入れた切り込み１０ｂ近傍に、環状の付け根支持部２３を設ける。小指付け根支持部２３は内部の環状部２３ａと外部へ取り出した２本の抜き出し紐部２３ｂ、２３ｂとからなり、手甲面から外部に抜き出された紐２３ｂ、２３ｂの結びにより、付け根支持強度が調整可能となっている。更に、手甲面パーツの人差し指部に指出し口２２を設け、図５に示すように、指出し口２２から表側に人差し指７を出し、人差し指７を軸とする親指６と小指９とでグローブの開閉操作をなす構造２０を形成してなる。
【００１２】
上記実施例ではアジャスタ１１を開放し、親指を親指サック２１に挿入し、人指し指を指出し口２２から手甲面表に出し、小指付け根を小指付け根支持部２３に挿入し、抜き出し紐２３ｂ、２３ｂを結んで支持強度を調整し、親指側のバックル付きバンド１１aと、小指側のバンド１1ｂとでアジャスタ１１を結束し、分割された手口部５を緊締することによりグローブの抜け落ちを防止する。
【００１３】
以上の説明で明らかなように、本考案のグローブ親指保護構造によれば、グローブの開閉操作性を害することなく、補給時の親指への衝撃が緩和される。上記本考案構造をキャッチャーミットにおいて説明したが、他のグローブ及びミットにも適用できる。その他のグローブの適用においては種々変更を伴うが、手口部を分割し、アジャスタで調節して緊締強度を調節する構造１０と併用することによりグローブの開閉操作を向上させることができる。
なお、アジャスタ１１は図６に示すように、親指サック２１の付け根を越えた後挿入孔１１ｃから第１切り込み１０ａに入り、隣接する挿入孔（図示しない）から出して小指側リストバンド１１ｂと結束される構造とし、親指、人差し指の緊締を確実にするようにしてもよい。
【符号の説明】
【００１４】
１    捕球面パーツ
２    手甲面パーツ
３    綴じ紐
４    捕球用ウエブ
５    手口部
１１    アジャスタ
２１    親指サック
２１ｃ    プラスチック硬質片
２１ｅ    親指サック挿入口部
【図１】
0003207677.tif 000003
【図２】
0003207677.tif 000004
【図３】
0003207677.tif 000005
【図４】
0003207677.tif 000006
【図５】
0003207677.tif 000007
【図６】
0003207677.tif 000008